(57)【要約】【課題】  作業台の天板の幅を可及的に広く、その高さを可及的に低くする。しかも、作業台を折畳可能構造とする。【解決手段】  折畳式作業台は、天板11と、天板11の前縁部に揺動自在に連結されているタラップ側脚12と、天板11の後縁部に揺動自在に連結されている支柱側脚13と、後端が天板11に、前端がタラップ側脚12にそれぞれ揺動自在に連結されている中折式開止めバー14と、前端がタラップ側脚12に、後端が支柱側脚13にそれぞれ揺動自在に連結されている継ぎバー15とを備えている。開止めバー14が一直線状となされて、タラップ側脚12および支柱側脚13が最大角度に開かれた開き姿勢と、開止めバー14が中折りされて、天板11が支柱側脚13の上方に延在させられこれにタラップ側脚12が平行となるように折畳まれる閉じ姿勢との間で開閉されるようになされている。開き姿勢において、開止めバー14の前端側連結点43よりも、継ぎバー15の前端側連結点45がその後端側連結点46に接近させられている。【選択図】  図１
2006132127.tif 000002
【特許請求の範囲】
【請求項１】
天板(11)と、天板(11)の前縁部に揺動自在に連結されているタラップ側脚(12)と、天板(11)の後縁部に揺動自在に連結されている支柱側脚(13)と、後端が天板(11)に、前端がタラップ側脚(12)にそれぞれ揺動自在に連結されている中折式開止めバー(14)と、前端がタラップ側脚(12)に、後端が支柱側脚(13)にそれぞれ揺動自在に連結されている継ぎバー(15)とを備えており、開止めバー(14)が一直線状となされて、タラップ側脚(12)および支柱側脚(13)が最大角度に開かれた開き姿勢と、開止めバー(14)が中折りされて、天板(11)が支柱側脚(13)の上方に延在させられこれにタラップ側脚(12)が平行となるように折畳まれる閉じ姿勢との間で開閉されるようになされている折畳式作業台において、
開き姿勢において、開止めバー(14)の前端側連結点(43)よりも、継ぎバー(15)の前端側連結点(45)がその後端側連結点(46)に接近させられていることを特徴とする折畳式作業台。
【請求項２】
天板(11)と、天板(11)の前縁部に揺動自在に連結されているタラップ側脚(12)と、天板(11)の後縁部に揺動自在に連結されている支柱側脚(13)と、後端が天板(11)に、前端がタラップ側脚(12)にそれぞれ揺動自在に連結されている中折式開止めバー(14)と、前端がタラップ側脚(12)に、後端が支柱側脚(13)にそれぞれ揺動自在に連結されている継ぎバー(15)とを備えており、開止めバー(14)が一直線状となされて、タラップ側脚(12)および支柱側脚(13)が最大角度に開かれた開き姿勢と、開止めバー(14)が中折りされて、天板(11)が支柱側脚(13)の上方に延在させられこれにタラップ側脚(12)が平行となるように折畳まれる閉じ姿勢との間で開閉されるようになされている折畳式作業台において、
タラップ側脚(12)および継ぎバー(15)の前端側連結点間にブラケット(23)が介在させられ、継ぎバー(15)の前端側連結点に連結ピン(45)が設けられ、ブラケット(23)に、連結ピン(45)をはめ入れた長孔(27)が形成され、閉じ姿勢に向かう開止めバー(14)が支柱側脚(13)と平行になった時点から閉じ姿勢まで揺動させられる間に、長孔(27)が上下方向に向けられて、連結ピン(45)が長孔(27)の上端部から下端部まで移動させられるようになされていることを特徴とする折畳式作業台。
【請求項３】
開止めバー(14)の前端側連結点(43)が、ブラケット(23)を共有させられている請求項２に記載の折畳式作業台。
【請求項４】
天板(11)と、天板(11)の前縁部に揺動自在に連結されているタラップ側脚(12)と、天板(11)の後縁部に揺動自在に連結されている支柱側脚(13)と、後端が天板(11)に、前端がタラップ側脚(12)にそれぞれ揺動自在に連結されている中折式開止めバー(14)と、前端がタラップ側脚(12)に、後端が支柱側脚(13)にそれぞれ揺動自在に連結されている継ぎバー(15)とを備えており、開止めバー(14)が一直線状となされて、タラップ側脚(12)および支柱側脚(13)が最大角度に開かれた開き姿勢と、開止めバー(14)が中折りされて、天板(11)が支柱側脚(13)の上方に延在させられこれにタラップ側脚(12)が平行となるように折畳まれる閉じ姿勢との間で開閉されるようになされている折畳式作業台において、
継ぎバー(15)の後端側連結点および支柱側脚(13)間にブラケット(25)が介在させられ、継ぎバー(15)の後端側連結点に連結ピン(46)が設けられ、ブラケット(25)に、連結ピン(46)をはめ入れた長孔(27)が形成され、閉じ姿勢に向かう開止めバー(14)が支柱側脚(13)と平行になった時点から閉じ姿勢まで揺動させられる間に、長孔(27)が上下方向に向けられて、連結ピン(46)が長孔(27)の下端部から上端部まで移動させられるようになされていることを特徴とする折畳式作業台。
【発明の詳細な説明】
【技術分野】
【０００１】
この発明は、完全に平坦となるようにコンパクトに簡単に折畳むことのできる折畳式作業台に関する。
【背景技術】
【０００２】
従来、この種の作業台としては、天板と、天板の前縁部に揺動自在に連結されているタラップ側脚と、天板の後縁部に揺動自在に連結されている支柱側脚と、後端が天板に、前端がタラップ側脚にそれぞれ揺動自在に連結されている中折式開止めバーと、前端がタラップ側脚に、後端が支柱側脚にそれぞれ揺動自在に連結されている継ぎバーとを備えており、開止めバーが一直線状となされて、タラップ側脚および支柱側脚が最大角度に開かれた開き姿勢と、開止めバーが中折りされて、天板が支柱側脚の上方に延在させられこれにタラップ側脚が平行となるように折畳まれる閉じ姿勢との間で開閉されるようになされているものが知られている（例えば、特許文献１参照。）。
【０００３】
この作業台は、天板の幅は比較的狭く、その高さも比較的高いものである。そのため、折畳構造を可能とする、開止めバーおよび継ぎバーの各脚に対する連結点を比較的自由に設定することができる。
【０００４】
この種の作業台において、折畳構造を可能とするためには、天板の幅および高さ、脚の角度、開止めバーおよび継ぎバーの位置等々によって開止めバーおよび継ぎバーの連結点を好ましい位置に設定する必要がある。
【０００５】
天板の幅を広く、そのの高さを低くしようとすると、開止めバーおよび継ぎバーの各脚に対する連結点の間隔を狭く設定することが考えられる。そのためには、開止めバーの前端側連結点および継ぎバーの前端側連結点を共有させることが考えられる。ところが、天板の幅およびその高さによっては、開止めバーおよび継ぎバーの連結点を共有させると、折畳構造となし得ない、換言すると、折畳構造とするための連結点が存在しないことがある。
【特許文献１】特開平１０−２１５７号公報
【発明の開示】
【発明が解決しようとする課題】
【０００６】
この発明の目的は、天板の幅を可及的に広く、その高さを可及的に低くして、しかも、折畳構造を可能とする折畳式作業台を提供することにある。
【課題を解決するための手段】
【０００７】
この発明による折畳式作業台は、天板と、天板の前縁部に揺動自在に連結されているタラップ側脚と、天板の後縁部に揺動自在に連結されている支柱側脚と、後端が天板に、前端がタラップ側脚にそれぞれ揺動自在に連結されている中折式開止めバーと、前端がタラップ側脚に、後端が支柱側脚にそれぞれ揺動自在に連結されている継ぎバーとを備えており、開止めバーが一直線状となされて、タラップ側脚および支柱側脚が最大角度に開かれた開き姿勢と、開止めバーが中折りされて、天板が支柱側脚の上方に延在させられこれにタラップ側脚が平行となるように折畳まれる閉じ姿勢との間で開閉されるようになされている折畳式作業台において、開き姿勢において、開止めバーの前端側連結点よりも、継ぎバーの前端側連結点がその後端側連結点に接近させられていることを特徴とするものである。
【０００８】
この発明による折畳式作業台では、開き姿勢において、開止めバーの前端側連結点よりも、継ぎバーの前端側連結点がその後端側連結点に接近させられているから、開き姿勢における継ぎバーの見掛け長さ、すなわち、両脚間に張り渡される長さであって、開止めバーの前端側連結点および継ぎバーの後端側連結点間の長さは、継ぎバーの現実的長さ、すなわち、継ぎバーの前および後側連結点間の長さよりも大きくなっている。一方、閉じ姿勢においては、開止めバーの前端側連結点は、継ぎバーの長さと直交させられる位置に位置させられるため、継ぎバーの見掛け長さは、継ぎバーの現実的長さと等しい。換言するならば、開き姿勢においては継ぎバーの見掛け長さは大きく、閉じ姿勢においては継ぎバーの見掛け長さは小さくなっている。このために、天板の幅を可及的に広く、脚の高さを可及的低くしても、作業台を折畳構造とするための、開止めバーおよび継ぎバーの連結点を容易に設定することができる。
【０００９】
この発明による他の折畳式作業台は、天板と、天板の前縁部に揺動自在に連結されているタラップ側脚と、天板の後縁部に揺動自在に連結されている支柱側脚と、後端が天板に、前端がタラップ側脚にそれぞれ揺動自在に連結されている中折式開止めバーと、前端がタラップ側脚に、後端が支柱側脚にそれぞれ揺動自在に連結されている継ぎバーとを備えており、開止めバーが一直線状となされて、タラップ側脚および支柱側脚が最大角度に開かれた開き姿勢と、開止めバーが中折りされて、天板が支柱側脚の上方に延在させられこれにタラップ側脚が平行となるように折畳まれる閉じ姿勢との間で開閉されるようになされている折畳式作業台において、タラップ側脚および継ぎバーの前端側連結点間にブラケットが介在させられ、継ぎバーの前端側連結点に連結ピンが設けられ、ブラケットに、連結ピンをはめ入れた長孔が形成され、閉じ姿勢に向かう開止めバーが支柱側脚と平行になった時点から閉じ姿勢まで揺動させられる間に、長孔が上下方向に向けられて、連結ピンが長孔の上端部から下端部まで移動させられるようになされていることを特徴とするものである。
【００１０】
この発明による他の折畳式作業台では、継ぎバーの見掛け長さが現実的長さよりも、長孔の有効長さ分さらに短くなり、これにより、折畳構造とするための、開止めバーおよび継ぎバーの連結点を設定する範囲をさらに広くすることができる。
【００１１】
この発明による他の折畳式作業台において、開止めバーの前端側連結点が、ブラケットを共有させられていると、シンプルな構造でもって、折畳構造とすることができる。
【００１２】
この発明によるさらなる他の折畳式作業台は、天板と、天板の前縁部に揺動自在に連結されているタラップ側脚と、天板の後縁部に揺動自在に連結されている支柱側脚と、後端が天板に、前端がタラップ側脚にそれぞれ揺動自在に連結されている中折式開止めバーと、前端がタラップ側脚に、後端が支柱側脚にそれぞれ揺動自在に連結されている継ぎバーとを備えており、開止めバーが一直線状となされて、タラップ側脚および支柱側脚が最大角度に開かれた開き姿勢と、開止めバーが中折りされて、天板が支柱側脚の上方に延在させられこれにタラップ側脚が平行となるように折畳まれる閉じ姿勢との間で開閉されるようになされている折畳式作業台において、継ぎバーの後端側連結点および支柱側脚間にブラケットが介在させられ、継ぎバーの後端側連結点に連結ピンが設けられ、ブラケットに、連結ピンをはめ入れた長孔が形成され、閉じ姿勢に向かう開止めバーが支柱側脚と平行になった時点から閉じ姿勢まで揺動させられる間に、長孔が上下方向に向けられて、連結ピンが長孔の下端部から上端部まで移動させられるようになされていることを特徴とするものである。
【００１３】
この発明によるさらなる他の折畳式作業台によっても、開止めバーおよび継ぎバーの連結点を設定する範囲をさらに広くすることができる。
【発明の効果】
【００１４】
この発明によれば、天板の幅を可及的に広く、脚の高さを可及的低くして、しかも、折畳構造を可能とする折畳式作業台が提供される。
【発明を実施するための最良の形態】
【００１５】
この発明の実施の形態を図面を参照しながらつぎに説明する。
【００１６】
以下の説明において、前後とは、作業台のタラップ側を前（図１の左側）、これと反対側を後といい、左右とは、後方より見て、その左右の側を左右というものとする。
【００１７】
図１および図２を参照すると、作業台は、天板11と、天板11の前縁部に揺動自在に連結されているタラップ側脚12と、天板11の後縁部に揺動自在に連結されている支柱側脚13と、後端が天板11に、前端がタラップ側脚12にそれぞれ揺動自在に連結されている中折式開止めバー14と、前端がタラップ側脚12に、後端が支柱側脚13にそれぞれ揺動自在に連結されている継ぎバー15とを備えている。
【００１８】
天板11、タラップ側脚12、支柱側脚13、開止めバー14およびタラップ側脚12の全体または主要部は、アルミニウム製である。
【００１９】
天板11は、左右方向に長い方形板状のもので、左右両側壁外面前縁部には左右一対の第１ブラケット21が垂下状に固定されている。同左右両側壁内面には左右一対の取付部材22が対向状に設けられている。
【００２０】
タラップ側脚12は、下拡がりにのびている左右一対の前脚部材31と、両前脚部材31の高さの中程に固定状に挟み込まれているタラップ32とよりなる。各前脚部材31外側面の上端には第２ブラケット22が上方突出状に固定されている。第１ブラケット21の垂下部の内側に第２ブラケット22の上方突出部が重合わされ、その重合部にまたがるように左右方向水平状第１連結ピン41が貫通させられている。
【００２１】
タラップ32は、図３に詳細に示すように、上下方向を厚みとする扁平中空状のもので、頂壁51、底壁52、前側壁53および後側壁54よりなる。頂壁51上面の前後方向中央よりやや前寄りのところには左右方向にのびた内部拡大溝55が形成されている。内部拡大溝55にはステップ指標56がはめ入れられている。ステップ指標56は、アルミニウムの地金色とは識別できる色、例えば、黄色の樹脂によって形成されたもので、昇降時の足踏み外し防止効果を高めるためのものである。
【００２２】
ステップ後側壁54の後側面の、両前脚部材31より若干内側に寄ったところに、左右一対の平面視Ｌ字状第３ブラケット23が固定されている。各第３ブラケット23は、支柱側脚13に向かって突出させられた垂直状三角板26を有している。三角板26の先端部には長孔27が形成されている（図５参照。）。長孔27は、継ぎバー15と直交する方向にのびている。
【００２３】
支柱側脚13は、前脚部材31と同じように下拡がりにのびている左右一対の後脚部材61と、両後脚部材61の下端近くに渡し止められている水平連結部材62とを備えている。各後脚部材61の外側面の上端には第４ブラケット24が上方突出状に固定されている。各第４ブラケット24の上方突出部が天板11を介して取付部材22の外側面に重合わされ、その重合部にまたがるように左右方向水平状第２連結ピン42が貫通させられている。連結部材62の前側面には左右一対の平面視Ｌ字状第５ブラケット25が第３ブラケット23と同じ間隔で固定されている。
【００２４】
両開止めバー14は、左右方向にのびた水平連結ロッド71の両端部に互いに屈曲自在に連結されている前部材72および後部材73よりなる。前部材72には、連結ロッド71から後方に突出させられたストッパ74が設けられている。前部材72および後部材73が一直線状となった状態で、ストッパ74に後部材73の後端部が下側から当接させられることにより、前部材72および後部材73が一直線状に保持されるようになっている。前部材72の前端部は、第３ブラケット23の三角板26の基部に第３連結ピン43によって連結されている。後部材73の後端部は、第４連結ピン44によって取付部材22の内側面に第２連結ピン42と同心となるように連結されている。
【００２５】
継ぎバー15の前端部は、これに貫通させられかつ長孔27に通された第５連結ピン45によって第３ブラケット23の先端部に連結されている。長孔27の下端部に第５連結ピン45は位置させられている。継ぎバー15の後端部は、第４ブラケット24に第６連結ピン46によって連結されている。
【００２６】
第１〜第６連結ピン41〜46は、詳しく図示しないが、ボルトおよびこれにねじはめられた回止機能付ナットによって構成されていて、いずれのボルトも左右方向にのびている。
【００２７】
天板11の前後方向の幅Ｂは、例えば、３００ｍｍであり、その高さＨは、例えば、５００ｍｍである。前後方向より見て、タラップ側脚12および支柱側脚13の垂直線に対してなす角度αは、等しく、例えば、６°である。左右方向より見て、タラップ側脚12の水平線に対してなす角度βは、例えば、５５°である。
【００２８】
上記具体的数値を見ても分かるように、既知の作業台と比較して、天板11の幅Ｂは広く、その高さＨは低くなっている。また、上記タラップ側脚12の角度βは小さくなっている。これにより、作業台は安定した座りに見える。
【００２９】
つぎに、図４および図５を参照しながら、作業台の折畳み動作について説明する。図４(a)が作業台の開き姿勢を、図４(c)が作業台の閉じ姿勢をそれぞれ示している。
【００３０】
図４(a)を参照すると、開止めバー14の前端側連結点にある第３連結ピン43から、継ぎバー15の前端側連結点にある第５連結ピン45は、三角板26の高さｈにほぼ相当する距離だけ、継ぎバー15の後端側連結点にある第６連結ピン46の方向に接近させられている。継ぎバー15の現実的長さｌは、第５連結ピン45および第６連結ピン46間の距離に等しい。例えば、第３連結ピン43および第５連結ピン45が同心である場合を想定すると、継ぎバー15の見掛け長さはＬとなる。この見掛け長さＬは、上記高さｈと現実的長さｌを加算した大きさに相当する。
【００３１】
作業台を、開き姿勢から閉じ姿勢に折り畳んでいくと、閉じ姿勢となる直前に、図４(b)に示すように、支柱側脚13と継ぎバー15が平行となる。この時点で、支柱側脚13と平行する方向において、第５連結ピン45が第６連結ピン46から最大限隔てられたところに位置させられている。この状態で、第３連結ピン43は継ぎバー15の長さ方向と直交するところに位置させられているため、継ぎバー15の見掛け長さＬは、継ぎバー15の現実的長さｌと等しくなっている。一方、図５(a)に示すように、長孔27はほぼ垂直姿勢となり、長孔27の上端部に第５連結ピン45が位置させられている。
【００３２】
作業台を、図４(c)に示すように、閉じ姿勢に完全に折り畳むと、支柱側脚13と継ぎバー15は、交差させられる。第５連結ピン45は、上記第６連結ピン46から最大限隔てられたところから、長孔27の有効長さに相当する距離ｅだけ第６連結ピン46に接近させられる。図５(b)に示すように、長孔27の下端部に第５連結ピン45が位置させられている。継ぎバー15の見掛け長さＬは、継ぎバー15の現実的長さｌよりも同距離ｅの分短くなっている。
【００３３】
上記において、長孔27は、第３ブラケット23に設けられている。これに代わり、図６に示すように、長孔27は第５ブラケット25に設けられていても良い。この場合、第５連結ピン45は、第３ブラケット23の定位置に支持され、長孔27には第６連結ピン46がはめ入れられている。開止めバー14が支柱側脚13と平行になった時点から閉じ姿勢まで揺動させられる間に、第６連結ピン46は、長孔27内を、今度は、上記の場合とは逆に、下端部から上端部まで移動させられる。
【図面の簡単な説明】
【００３４】
【図１】この発明による作業台の側面図である。
【図２】同背面図である。
【図３】同作業台のタラップの横断面図である。
【図４】同作業台の折畳動作説明図である。
【図５】図４に示された部分を拡大して示す断面図である。
【図６】継ぎバーの連結構造の変形例を示す図５相当の動作説明図である。
【符号の説明】
【００３５】
11  天板
12  タラップ側脚
13  支柱側脚
14  開止めバー
15  継ぎバー
23  ブラケット
25  ブラケット
27  長孔
43、45、46  連結ピン
【図１】
2006132127.tif 000003
【図２】
2006132127.tif 000004
【図３】
2006132127.tif 000005
【図４】
2006132127.tif 000006
【図５】
2006132127.tif 000007
【図６】
2006132127.tif 000008